(57)【要約】【課題】土壌から放射性物質を含む汚染水を広範囲に亘って引き寄せて効率よく除去することができる、放射性物質除去方法及び放射性物質除去装置を提供する。【解決手段】放射性物質を含む汚染水が浸透された土壌２から放射性物質を除去するものであって、土壌２に透水性を有するトレンチ部材３を埋設し、トレンチ部材３に電解質溶液４を貯留し、電解質溶液４に陰極５を浸漬し、土壌２にトレンチ部材３から間隔を隔てて陽極６を差し込み、陽極６と陰極５との間に電圧を印加することで、陽極６と陰極５との間の土壌２の放射性物質を含む汚染水を電気浸透現象によって陰極５に引き寄せてトレンチ部材３を透過して電解質溶液４に流れ込ませ、汚染水が混合した電解質溶液４を排水手段８によってトレンチ部材３から取り出すことで、土壌２から放射性物質を除去する。【選択図】図１
2016212003.tif 000002
【特許請求の範囲】
【請求項１】
放射性物質で汚染された土壌から放射性物質を除去する放射性物質除去方法であって、
透水性を有するトレンチ部材を前記土壌に埋設し、
該トレンチ部材に電解質溶液を貯留し、
該電解質溶液に陰極を浸漬し、
前記トレンチ部材から間隔を隔てて前記土壌に陽極を差し込み、
該陽極と前記陰極との間に電圧を印加することによって前記放射性物質を含む汚染水を前記トレンチ部材内に回収し、
前記汚染水が混合した前記電解質溶液を前記トレンチ部材から排出することによって前記土壌から前記放射性物質を除去する、
ことを特徴とする放射性物質除去方法。
【請求項２】
放射性物質で汚染された土壌から放射性物質を除去する放射性物質除去装置であって、
透水性を有し前記土壌に埋設されるトレンチ部材と、
該トレンチ部材に貯留される電解質溶液と、
該電解質溶液に浸漬される陰極と、
前記トレンチ部材から間隔を隔てて前記土壌に差し込まれる陽極と、
該陽極と前記陰極との間に電圧を印加する電力供給手段と、
前記トレンチ部材内の液体を排出可能な排水手段と、を備え、
前記陽極と前記陰極との間に電圧を印加することによって前記放射性物質を含む汚染水を前記トレンチ部材内に回収し、前記汚染水が混合した前記電解質溶液を前記トレンチ部材から排出することによって前記土壌から前記放射性物質を除去する、
ことを特徴とする放射性物質除去装置。
【請求項３】
前記トレンチ部材は、上部が開放されているとともに、前記土壌の表面から突出するように埋設されている、ことを特徴とする請求項２に記載の放射性物質除去装置。
【請求項４】
前記トレンチ部材は前記土壌に間隔を隔てて略平行に複数配設され、前記陽極は前記トレンチ部材同士の間に配設されている、ことを特徴とする請求項２又は３に記載の放射性物質除去装置。
【請求項５】
前記陽極は、前記トレンチ部材の長手方向に沿って略平行に複数配設されている、ことを特徴とする請求項２〜４の何れか一項に記載の放射性物質除去装置。
【請求項６】
前記電力供給手段は、太陽光発電装置、風力発電装置又はその他の再生可能エネルギー発電装置により構成されている、ことを特徴とする請求項２〜５の何れか一項に記載の放射性物質除去装置。
【発明の詳細な説明】
【技術分野】
【０００１】
本発明は、放射性物質除去方法及び放射性物質除去装置に係り、特に、放射性物質によって汚染された土壌から放射性物質を含む汚染水を集水して除去可能な放射性物質除去方法及び放射性物質除去装置に関する。
【背景技術】
【０００２】
放射性物質は、アルカリ金属をはじめとした金属元素の放射性同位体であるが、土壌の水分中では単独の元素として存在せず、大気や土壌中の硫酸等の元素とイオン結合して塩という化学結合の形態で存在している。土壌は、一般に、土壌の成分を構成している微細なシルト質及び粘土に水分を含有している。特に、降雨や地下水の影響による湿潤な土壌において、水分は、通常の土壌成分の少なくとも１０％以上を占める粒子直径０．０７４ｍｍ以下のシルト・粘土質微粒子に吸着され、粒子直径０．０７５ｍｍを越える石英等からなる砂や礫粒子では粒子間の間隙水として存在している。
【０００３】
土壌成分であるシルト・粘土質に含有する水分や粗い粒子である砂や礫粒子の間隙水には、塩としてイオン結合していた土壌中の放射性同位元素が、塩から電離してイオンとして水に溶け込んでいることが多く、土壌中で汚染水を構成している。このように、放射性物質によって汚染された土壌に対しては、土壌中の汚染水に対して電気的なクーロン力を作用させることで、汚染水を電気浸透現象により強制的に移動させて一定箇所に集水することができる。
【０００４】
電気浸透現象を利用して土壌中のイオン化した汚染物質を抽出する発明として、汚染された土壌に陰極と陽極とを間隔を隔てて差し込み、これらに電圧を印加することで、イオン化した放射性物質を含む水分（汚染水）を陰極に集めるようにした装置が知られている（例えば、特許文献１参照）。この装置においては、筒状に形成された陰極を有し、陰極の側面に複数の貫通孔が形成されており、電気浸透現象によって陰極に引き寄せられた汚染水を貫通孔から陰極内に取り込み、陰極内に取り込んだ汚染水を真空ポンプによって汲み上げるようにしている。
【先行技術文献】
【特許文献】
【０００５】
【特許文献１】特開２００３−３１１２５６号公報
【発明の概要】
【発明が解決しようとする課題】
【０００６】
ところで、上述した従来の装置においては、土壌に筒状の陰極を差し込み、陰極を中心とした近傍の土壌中の汚染水を、電気浸透現象により陰極に引き寄せて除去するようにしている。このため、筒状の陰極を中心とした所定半径内の汚染水は効率よく除去できるものの、より広範囲の汚染水を的確に除去するには多数の陰極を土壌に差し込む必要があり、汚染水回収効率の点で改善の余地が残されている。
【０００７】
本発明は、かかる問題点に鑑みて創案されたものであり、土壌から放射性物質を含む汚染水を広範囲に亘って引き寄せて効率よく除去することができる、放射性物質除去方法及び放射性物質除去装置を提供することを目的とする。
【課題を解決するための手段】
【０００８】
本発明によれば、放射性物質で汚染された土壌から放射性物質を除去する放射性物質除去方法であって、透水性を有するトレンチ部材を前記土壌に埋設し、該トレンチ部材に電解質溶液を貯留し、該電解質溶液に陰極を浸漬し、前記トレンチ部材から間隔を隔てて前記土壌に陽極を差し込み、該陽極と前記陰極との間に電圧を印加することによって前記放射性物質を含む汚染水を前記トレンチ部材内に回収し、前記汚染水が混合した前記電解質溶液を前記トレンチ部材から排出することによって前記土壌から前記放射性物質を除去する、ことを特徴とする放射性物質除去方法が提供される。
【０００９】
また、本発明によれば、放射性物質で汚染された土壌から放射性物質を除去する放射性物質除去装置であって、透水性を有し前記土壌に埋設されるトレンチ部材と、該トレンチ部材に貯留される電解質溶液と、該電解質溶液に浸漬される陰極と、前記トレンチ部材から間隔を隔てて前記土壌に差し込まれる陽極と、該陽極と前記陰極との間に電圧を印加する電力供給手段と、前記トレンチ部材内の液体を排出可能な排水手段と、を備え、前記陽極と前記陰極との間に電圧を印加することによって前記放射性物質を含む汚染水を前記トレンチ部材内に回収し、前記汚染水が混合した前記電解質溶液を前記トレンチ部材から排出することによって前記土壌から前記放射性物質を除去する、ことを特徴とする放射性物質除去装置が提供される。
【００１０】
前記トレンチ部材は、上部が開放されているとともに、前記土壌の表面から突出するように埋設されていてもよい。また、前記トレンチ部材は前記土壌に間隔を隔てて略平行に複数配設され、前記陽極は前記トレンチ部材同士の間に配設されていてもよい。また、前記陽極は、前記トレンチ部材の長手方向に沿って略平行に複数配設されていてもよい。
【００１１】
前記電力供給手段は、太陽光発電装置、風力発電装置又はその他の再生可能エネルギー発電装置により構成されていてもよい。
【発明の効果】
【００１２】
本発明に係る放射性物質除去方法及び放射性物質除去装置によれば、放射性物質により汚染された土壌に電解質溶液を貯留したトレンチ部材を埋設し、陰極と陽極との間に電圧を印加することにより、電気浸透現象により放射性物質をトレンチ部材内に収容することができる。特に、トレンチ部材全体を陰極として作用させることができることから、トレンチ部材の長さや埋設深さに対応した広範囲の土壌から放射性物質を含む汚染水を効率よく除去することができる。
【図面の簡単な説明】
【００１３】
【図１】本発明の第一実施形態に係る放射性物質除去装置の全体図である。
【図２】図１に示したトレンチ部材の説明図であり、（ａ）はトレンチ部材の斜視図、（ｂ）はトレンチ部材の横断面図、である。
【図３】図２（ａ）に示した排水手段の概略図である。
【図４】本発明の第二実施形態に係る放射性物質除去装置の全体図である。
【発明を実施するための形態】
【００１４】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付すことにより重複説明を省略し、また本発明に直接関係のない要素は図示を省略する。
【００１５】
本発明の第一実施形態に係る放射性物質除去装置１は、図１に示したように、
放射性物質で汚染された土壌２から放射性物質を除去するものであって、透水性を有し土壌２に埋設されるトレンチ部材３と、トレンチ部材３に貯留される電解質溶液４と、電解質溶液４に浸漬される陰極５と、トレンチ部材３から間隔を隔てて土壌２に差し込まれる陽極６と、陽極６と陰極５との間に電圧を印加する電力供給手段７と、トレンチ部材３内の液体を排出可能な排水手段８と、を備えている。
【００１６】
かかる放射性物質除去装置１によれば、陽極６と陰極５との間に電圧を印加することによって放射性物質を含む汚染水を電気浸透現象によってトレンチ部材３内に回収し、汚染水が混合した電解質溶液４をトレンチ部材３から排出することによって土壌２から放射性物質を除去することができる。
【００１７】
土壌２は、例えば、セシウム、ストロンチウム等の放射性物質を含む汚染水が浸透された、田圃、畑等の農地、山林等の林地、住宅地や工業地等の宅地、道路や公園等の公共地等である。土壌が田圃の場合、トレンチ部材３は田圃の畦道に埋設される。土壌２には、原子炉建屋の地下や周辺の土地も含まれる。また、土壌２は、必ずしも土が露出した場所に限定されず、アスファルトやコンクリートを貫通して又は除去して、トレンチ部材３を埋設可能な場所であってもよい。
【００１８】
この放射性物質除去装置１は、放射性物質を土壌２内の水分と一緒に汚染水として除去するものであることから、土壌２は湿潤な土壌や保水可能な土壌であること（例えば田圃等）が好ましい。勿論、土壌２が乾いている場合には、水を散布したり、注水したりして、土壌２を強制的に湿潤な状態にするようにしてもよい。
【００１９】
トレンチ部材３は、図１、図２（ａ）に示したように、例えば、上部が開放された矩形の容器から成り、樋状に形成された直線トレンチ部材３ａと、一方に側壁を有する端部トレンチ部材３ｂとを、液密シールを介して連結して構成されている。なお、トレンチ部材３は、一体成形品でもよく、２個又は４個以上の部品を組み合わせて構成されていてもよい。トレンチ部材３の断面形状は、凹型に限らず、半円形でもよい。また、トレンチ部材３は、直線形状である必要はなく、湾曲していてもよいし、屈曲していてもよい。
【００２０】
トレンチ部材３は、汚染水を透過可能な透水性を有し、例えば、非常に微細な多孔を有する素焼きの陶土、無機質な多孔質材料（多孔質セラミック、多孔質ガラス等）、多孔質性能を有する合成高分子材料（ポリエチレン、ポリプロピレン等）により形成される。
【００２１】
地表から５０ｃｍ程度までの浅い深さに汚染水が浸透している土壌２を対象とした場合、トレンチ部材３は、例えば、埋設深さｄ＝１００ｃｍ以下、厚さｔ＝５ｃｍ以下のものが用いられる。トレンチ部材３の長さＬは、汚染水を除去する土壌２の範囲に応じて設定され、トレンチ部材３の幅Ｗはトレンチ部材３内に貯留される電解質溶液４の量及び電解質溶液４に浸漬される陰極５の大きさに応じて設定される。
【００２２】
本実施形態では、トレンチ部材３は、図１に示したように、土壌２に間隔Ｘを隔てて平行に複数並設されている。トレンチ部材３同士の間隔Ｘは、汚染水を除去する土壌２の範囲及び陽極６と陰極５との間に印加する電圧の強さに応じて設定される。なお、トレンチ部材３の設置数は１個でもよいし、３個以上でもよい。
【００２３】
トレンチ部材３は、図２（ｂ）に示したように、上部が土壌２の表面（地表２ａ）から突出するように土壌２に埋設されており、上部は大気中に開放される。かかる構成により、地表２ａを流れる雨水等のトレンチ部材３内への浸入を抑制することができ、トレンチ部材３内に引き寄せられた汚染水の濃度低下や回収した汚染水の漏洩を抑制することができる。
【００２４】
なお、トレンチ部材３の上部に蓋を取り付け、雨や埃等の侵入を抑制するようにしてもよい。また、蓋を取り付けた場合にはトレンチ部材３を土壌２に完全に埋設するようにしてもよい。この場合、地表２ａ上にトレンチ部材３が存在しないことから、交通等の邪魔にならないようにしたり、地表面の有効利用を図ったりすることができる。
【００２５】
トレンチ部材３には、図２（ａ）及び（ｂ）に示したように、電解質溶液４が貯留されている。電解質溶液４としては、純水ではない導電性を有する自然レベルの水の他、酸や塩基や塩の水溶液、アンモニアや過酸化水素の水溶液等、電気伝導性を有する液体が用いられる。
【００２６】
トレンチ部材３内の電解質溶液４には、陰極５が浸漬されている。陰極５は、トレンチ部材３の長手方向に沿った金属パイプや金属ロッド等から構成される。陰極５としての金属パイプや金属ロッドは、例えば、トレンチ部材３の幅Ｗ（内幅）の１／３以下の直径のものが用いられる。陰極５に金属パイプを用いた場合、電解質溶液４との接触面積が金属ロッドよりも大きくなるので、汚染水を引き寄せる陰極５としての効率を高めることがえきる。
【００２７】
なお、金属パイプや金属ロッドの外周面や内周面にフィンや溝を設けたものを陰極５として用い、電解質溶液４との接触面積の拡大を図ってもよい。陰極５には、例えば、断面Ｌ字型の陰極端子５ａが溶接等によって取り付けられており、陰極端子５ａには、陰極電線５ｂが接続され、陰極５にマイナスの電圧が印加されるようになっている。
【００２８】
図１に示したように、土壌２には、トレンチ部材３から間隔を隔てて陽極６が差し込まれている。陽極６は、トレンチ部材３の深さｄと略同等又は同等以上の長さの金属製ロッドからなり、トレンチ部材３と平行に間隔を隔てて複数配設される。陽極６の長さをトレンチ部材３の深さｄよりも長くすると、トレンチ部材３の長さＬに応じて電気力線のク−ロン力が作動する範囲を広くすることができ、汚染水を効率よく回収することができる。
【００２９】
図１に示したように、土壌２に一対のトレンチ部材３を平行に並設した場合、陽極６は、トレンチ部材３同士の中間位置に配設される。陽極６には、陽極端子６ａを介して陽極電線６ｂが接続され、陽極６にプラスの電圧が印加されるようになっている。なお、陽極６は、図１では、上部が地表２ａから突出しているが、土壌２に完全に埋設するようにしてもよい。
【００３０】
陰極５と陽極６とには、図１に示す電力供給手段７によって電圧が印加される。電力供給手段７は、例えば、電力を発生させる発電手段７ａと、交流を直流に変換するＡＣ／ＤＣ変換器７ｂと、ＡＣ／ＤＣ変換器７ｂで変換された直流の電流及び電圧を制御する直流電源装置７ｃと、直流電源装置７ｃに接続されたマイナス端子箱７ｄ及びプラス端子箱７ｅとを備えている。なお、電力供給手段７の構成は、図１に示した構成に限定されるものではなく、陰極５と陽極６との間に適切な電圧を印加できれば他の構成であってもよい。
【００３１】
発電手段７ａは、例えば、太陽光発電、風力発電又はその他の再生可能エネルギー発電であることが好ましいが、蓄電池や原動機であってもよい。発電手段７ａが直流電力を発生するものであれば、ＡＣ／ＤＣ変換器７ｂは省略することができる。発電手段７ａとして、再生可能エネルギー発電を利用した場合には、電力のインフラ設備が整っていない場所や燃料の供給が困難な場所であっても、恒常的に放射性物質除去装置に電力を供給することができる。
【００３２】
かかる発電手段７ａにより供給される電力は、陰極５及び陽極６への供給に限定されるものではなく、排水手段８の吸引ポンプ８ｂや開閉弁８ｃ等（図３参照）の電力を必要とする全ての機器に供給することができる。
【００３３】
ＡＣ／ＤＣ変換器７ｂ及び直流電源装置７ｃの電気容量（電流、電圧）は、陰極５及び陽極６の数や長さに応じて調節され、陰極５及び陽極６に適切な大きさの電圧を印加することができるように構成されている。マイナス端子箱７ｄ内のマイナス端子は、マイナス電線５ｃ、マイナス電源線５ｄ、陰極電線５ｂ及び陰極端子５ａを介して陰極５に接続される。プラス端子箱７ｅ内のプラス端子は、プラス電線６ｃ、プラス電源線６ｄ、陽極電線６ｂ及び陽極端子６ａを介して陽極６に接続される。
【００３４】
電力供給手段７は、上述したＡＣ／ＤＣ変換器７ｂ及び直流電源装置７ｃによって直流を発生させる機能に加え、半波整流波形、全波整流波形、パルス波形又は交流波形の何れか一つ以上の波形の電流を発生させる機能を有していてもよい。これらの交番電圧を陰極５と陽極６とに印加することで、陰極５と陽極６との間の土壌２に脈動又は衝動を与えることができ、土壌２の汚染水を集水し易くすることができる。
【００３５】
トレンチ部材３内の汚染水が混合した電解質溶液４は、図２（ａ）及び図３に示した排水手段８によって取り出され、汚染水槽９に排水される。排水手段８は、トレンチ部材３と汚染水槽９とを接続する排水管８ａと、排水管８ａに設けられた吸引ポンプ８ｂとを備えている。排水管８ａは、一端がトレンチ部材３内の電解質溶液４の液面下に位置し、他端が汚染水槽９に臨まされている。
【００３６】
排水管８ａには、必要に応じて開閉弁８ｃ、逆止弁８ｄが設けられる。吸引ポンプ８ｂには、所謂真空ポンプが用いられる。汚染水槽９は、放射性物質の漏洩を防止できるように構成されており、コンクリートや鋼板コンクリート等の放射性遮蔽効果の高い素材によって汚染水を封入できるようになっている。なお、排水手段８の構成は、図示した構成に限定されるものではない。
【００３７】
図２（ａ）に示したように、トレンチ部材３には、給水手段１０としての給水管１０ａが接続されており、給水管１０ａによって新たな電解質溶液４がトレンチ部材３内に給水されるようになっている。詳しくは、排水手段８によって汚染水が混合した電解質溶液４をトレンチ部材３内から排水するとともに、排水量に見合った新たな電解質溶液４が、給水手段１０によってトレンチ部材３内に補充される。なお、補充される新たな電解質溶液４には、汚染水槽９内の汚染水が混合された電解質溶液から放射性物質を除去した電解質溶液を再利用するようにしてもよい。
【００３８】
上述した放射性物質除去装置１を用いて土壌２から放射性物質を汚染水として除去する場合、図１に示したように、透水性を有するトレンチ部材３を土壌２に間隔を隔てて平行に埋設し、トレンチ部材３内に電解質溶液４を貯留し、電解質溶液４に陰極５を浸漬し、トレンチ部材３同士の間の土壌２に陽極６を差し込む。その後、配線工事を行うことで陰極５及び陽極６に電力供給手段７を接続し、配管工事を行うことで図２及び図３に示したように排水手段８及び給水手段１０を敷設する。各陰極５には、マイナス端子箱７ｄからマイナス電圧が印加され、各陽極６には、プラス端子箱７ｅからプラス電圧が印加されるように構成されている。
【００３９】
かかる放射性物質除去装置１の設置が終了した後、電力供給手段７によって陰極５と陽極６との間に所定の電圧を印加する。これにより、陰極５及び陽極６は一つの電気回路の電極として荷電され、トレンチ部材３内の陰極５と陽極６との間の土壌２において、イオン化して水分に溶け込んだ放射性物質が汚染水として陰極５に引き寄せられ、トレンチ部材３の微細な孔を通過して電解質溶液４に流れ込む。
【００４０】
なお、陰極５と陽極６との間の土壌２の電位傾度は、例えば０．１Ｖ／ｃｍ以上の適切な値となるように調節される。汚染水が混合したトレンチ部材３内の電解質溶液４は、所定の汚染濃度になった後、排水手段８によってトレンチ部材３から取り出され、汚染水槽９に回収される。かかる処理により、土壌２から放射性物質が除去される。また、排水手段８によってトレンチ部材３から汚染水が混合した電解質溶液４を排水するに量に応じて、給水手段１０により新たな電解質溶液４をトレンチ部材３に補充することにより、トレンチ部材３内の電解質溶液４の液位を保持することができる。
【００４１】
上述した放射性物質除去装置１によれば、透水性を有するトレンチ部材３を土壌２に埋設し、トレンチ部材３に電解質溶液４を貯留し、電解質溶液４に陰極５を浸漬し、トレンチ部材３から間隔を隔てて土壌２に陽極６を差し込み、陽極６と陰極５との間に電圧を印加することによって放射性物質を含む汚染水をトレンチ部材３内に回収し、汚染水が混合した電解質溶液４をトレンチ部材３から排出することによって土壌２から放射性物質を除去する放射性物質除去方法を容易に実現することができる。
【００４２】
上述した本実施形態に係る放射性物質除去装置１及び放射性物質除去方法によれば、透水性を有するトレンチ部材３内に電解質溶液４を貯留して陰極５を浸漬するようにしたので、陰極５にマイナス電圧を印加すると、そのマイナス電圧が電解質溶液４に伝わり、トレンチ部材３全体が土壌２に対して陰極として作用することとなる。
【００４３】
したがって、図１に示したように、トレンチ部材３の長さＬ、埋設深さｄ及び間隔Ｘに応じた広範囲の土壌２中の汚染水を効率よくトレンチ部材３に引き寄せて回収することができる。その後、放射性物質が混合した電解質溶液４を排水手段８によってトレンチ部材３から排水することで、広範囲に亘る土壌２から、放射性物質を効率よく除去することができる。
【００４４】
次に、本発明の第二実施形態に係る放射性物質除去装置１について、図４を用いて説明する。図４に示したように、第二実施形態に係る放射性物質除去装置１は、陽極６の構成を陰極５と同様の構成に変更したものである。具体的には、トレンチ部材３内に電解質溶液４を貯留し、その電解質溶液４内に金属パイプ製の陽極６を浸漬させている。
【００４５】
かかる構成によれば、電力供給手段７のプラス、マイナスを定期的に切り換えて電流の向きを変えることで、土壌２中の汚染水の移動又は運搬を促進させることができる。その他の構成については、図１に示した第一実施形態に係る放射性物質除去装置１と同様であるため、ここでは詳細な説明を省略する。
【００４６】
以上、添付図面を参照しつつ本発明の好適な実施形態について説明したが、本発明は上述した各実施形態に限定されないことは勿論であり、特許請求の範囲に記載された範疇における各種の変更例または修正例についても、本発明の技術的範囲に属することは言うまでもない。
【符号の説明】
【００４７】
１  放射性物質除去装置
２  土壌
２ａ  地表
３  トレンチ部材
３ａ  直線トレンチ部材
３ｂ  端部トレンチ部材
４  電解質溶液
５  陰極
５ａ  陰極端子
５ｂ  陰極電線
５ｃ  マイナス電線
５ｄ  マイナス電源線
６  陽極
６ａ  陽極端子
６ｂ  陽極電線
６ｃ  プラス電線
６ｄ  プラス電源線
７  電力供給手段
７ａ  発電手段
７ｂ  ＡＣ／ＤＣ変換器
７ｃ  直流電源装置
７ｄ  マイナス端子箱
７ｅ  プラス端子箱
８  排水手段
８ａ  排水管
８ｂ  吸引ポンプ
８ｃ  開閉弁
８ｄ  逆止弁
９  汚染水槽
１０  給水手段
１０ａ  給水管
【図１】
2016212003.tif 000003
【図２】
2016212003.tif 000004
【図３】
2016212003.tif 000005
【図４】
2016212003.tif 000006